(57)【要約】      （修正有）【課題】プラズマディスプレイパネルにおいて、電極Ｘから電極Ｙａｓへの充電の適切な移行をセルの蛍光体のタイプに関係なく保証することのできる方法を提供する。【解決手段】プライミングフェーズ中において、セルのＸ、Ｙａｓ電極間に印加される充電のための電圧を少なくとも２つのタイプの蛍光体に対して異ならせ、少なくとも１つの蛍光体に対する過剰な充電を回避するようにする。【選択図】図２
2005316478.tif 000002
【特許請求の範囲】
【請求項１】
各セルに少なくとも２つの電極（Ｘ，Ｙａｓ）と少なくとも２つのタイプの蛍光体（赤、緑、青）のうちいずれかの蛍光体とが設けられており、各セルごとにセルの発光色が決定されるセルのプライミング方法であって、
閾値電圧よりも大きな電圧を各セルの電極間に印加して充電を行い、ここで充電のための閾値電圧をセル内で当該のセルの蛍光体のタイプに応じて形成する
セルのプライミング方法において、
セルの電極間に印加される充電のための電圧は少なくとも２つのタイプの蛍光体に対して異なる
ことを特徴とするセルのプライミング方法。
【請求項２】
セルの電極間の電圧を形成するために、第１の電圧信号をセルの１つの電極（Ｙａｓ）に印加し、第２の電圧信号を同じセルの他の電極（Ｘ）に印加し、第１の電圧信号は蛍光体のタイプに無関係に同一とし、第２の電圧信号を少なくとも２つのタイプの蛍光体に対してそれぞれ異なるものとする、請求項１記載の方法。
【請求項３】
第１の電圧信号は所定の電圧レベルによって追従される電圧勾配を有しており、その最大振幅（Ｙａｓ＿ｍａｘ）は蛍光体の最大閾値電圧よりも大きい、請求項２記載の方法。
【請求項４】
最大閾値電圧（ＳＧ）を有する蛍光体（緑）に対する第２の電圧信号はゼロ電圧である、請求項２または３記載の方法。
【請求項５】
最大閾値電圧を有する蛍光体以外の蛍光体（赤、青）に対する第２の電圧信号は第１の電圧信号の期間中アクティブとなる電圧パルスであり、その振幅は最大閾値電圧（ＳＧ）と当該の蛍光体に関する閾値電圧（ＳＲ，ＳＢ）との電圧差（Ｅ１，Ｅ２）に等しい、請求項４記載の方法。
【請求項６】
最大閾値電圧を有する蛍光体以外の蛍光体（赤、青）に対する第２の電圧信号は第１の電圧信号の期間中アクティブとなる電圧パルスであり、その振幅は最大閾値電圧（ＳＧ）と当該の蛍光体に関する閾値電圧（ＳＲ，ＳＢ）との最小差（Ｅ２）に等しい、請求項４記載の方法。
【請求項７】
最大閾値電圧を有する蛍光体以外の蛍光体（赤、青）に対する第２の電圧信号は第１の電圧信号の期間中アクティブとなる電圧パルスであり、その振幅はセルのアドレス電圧（Ｖｄａｔａ）に等しく、各セルでの充分な充電が保証されるように電圧勾配の最大振幅（Ｙａｓ＿ｍａｘ）を定める、請求項４記載の方法。
【請求項８】
最大閾値電圧を有する蛍光体以外の蛍光体（赤、青）に対する第２の電圧信号は第１の電圧信号の最終部分の期間中アクティブとなる電圧パルスであり、その振幅は少なくとも閾値電圧と電圧勾配の最大振幅（Ｙａｓ＿ｍａｘ）との差（Ｅ３，Ｅ４）に等しく、当該のパルスをセル内で充分な量の充電が得られたときに開始する、請求項４記載の方法。
【請求項９】
最大閾値電圧を有する蛍光体以外の蛍光体（赤、青）を有するセルへ印加される各パルスは同一である、請求項８記載の方法。
【請求項１０】
パルスの振幅（Ａ，Ｂ）は最大閾値電圧を有する蛍光体以外の蛍光体（赤、青）の閾値電圧と最大振幅（Ｙａｓ＿ｍａｘ）との最大電圧差（Ｅ３）に等しい、請求項９記載の方法。
【請求項１１】
セルの蛍光体は３タイプ（赤、緑、青）である、請求項８から１０までのいずれか１項記載の方法。
【請求項１２】
請求項１から１１までのセルのプライミング方法のプラズマディスプレイパネルでの使用。
【発明の詳細な説明】
【技術分野】
【０００１】
本発明は、プラズマディスプレイパネルのセルのプライミング方法、およびこの方法を実施する装置に関する。
【０００２】
本発明の方法は、より詳細に云えば、メモリ効果型の交流プラズマディスプレイパネルを含むカラーディスプレイ装置に適用される。この装置はアドレスのための交差電極、サステインのためのコプレーナ電極、およびリセットのためのパネル駆動手段を有しており、このリセット・アドレス・サステインの各動作はパネルの放電領域で行われる。
【背景技術】
【０００３】
メモリ効果型の交流プラズマディスプレイパネルＰＤＰは通常２つの並列プレートと放電ガスを含む空間とを有している。通常はプレートのあいだの内表面に複数の電極アレイが設けられている。ここで
１．非コプレーナの交差電極の２つのアレイがそれぞれのプレートに１つずつ配置され、放電のアドレスのために用いられる。電極の交差部、プレート間の空間内に発光放電領域が定義されている。
２．さらにコプレーナの並列電極の少なくとも２つのアレイが同じプレート上に配置され、放電のサステインのために用いられる。これらのアレイは誘電体層によってコーティングされており、特にメモリ効果を増幅している。誘電体層そのものも第２の保護および電子放出を担うマグネシウム酸化物ベースの層によってコーティングされている。
【０００４】
或るサステインアレイの各電極は他のサステインアレイの一方の電極とともに電極対を形成している。これらの電極対のあいだで通常はパネルの発光放電領域の行に沿って分布する発光放電領域の連なりが区切られている。発光放電領域はパネル上で２次元のマトリクスを形成している。各領域は発光によってマトリクスが観察すべき画像を表示できるように構成されている。
【０００５】
通常はコプレーナ電極のアレイのうちの１つがアドレスおよびサステイン双方のために用いられる。ここではコプレーナ電極のこの第１のアレイをＹａｓとし、第２のアレイをＹａとし、他方のプレート上コプレーナ電極Ｙａ，Ｙａｓに対して垂直に配置されたアドレス電極のアレイをＸとする。したがって電極アレイＹａ，Ｙａｓは放電領域の行を駆動し、アドレスのみに用いられる電極アレイＸは放電領域の列を駆動する。
【０００６】
少なくとも別々の色を発光する隣接の放電領域は通常はバリアによって区切られている。これらのバリアはふつうプレート間のスペーサとして用いられる。本明細書ではパネルのそれぞれの輝度放電領域をセルと称する。
【０００７】
セル壁は通常、発光放電の紫外放射に感応する蛍光体（リンなど）によって部分的にコーティングされている。隣接するセルには異なる原色を発光する蛍光体が設けられており、隣接する３つのセルの組み合わせによって画素またはピクセルが形成される。実際にはこれらの蛍光体はバリアの側方とこのバリアを支持しているプレートとをカバーしている。通常、プレートはアドレスのみ行う電極アレイを支持する。したがってアドレス電極が蛍光体によってカバーされていることになる。
【０００８】
プラズマパネルが画像を表示するために駆動されているとき、ディスプレイまたはサブディスプレイのシーケンス形成がセルマトリクスを用いて実行される。各サブディスプレイは一般に次のようなステップを有する。
１．まず選択的なアドレスステップが各セルの誘電体層での充電を修正するために行われる。これはセルのアドレス電極間に少なくとも１つの電圧パルスを印加することにより行われる。
２．次に一連の電圧パルスがサステイン電極対のあいだに印加されている期間中、非選択的なサステインステップが行われる。これにより発光放電のシーケンスが予め活性化されていたセルにおいてのみ形成される。
【０００９】
サブディスプレイの終了時には、各セルはサブディスプレイにおいて活性化されたか否かに依存してそれぞれきわめて異なる内部の電圧状態を取りうる。他の要素、例えばパネルの製造方法に関連した各セルに相応する蛍光体の性質、セルの設計特性による不可避の変動、セル壁の表面組成による変動なども、内部の電圧状態のばらつきに寄与している。
【００１０】
セルの内部電圧をアドレス可能な均一状態とするために、アドレスステップに先行してしばしば等化ステップが行われる。等化ステップの主たる目的は、先行のサブディスプレイステップにおいて活性化されたか否かにかかわらず、全てのセルをリセットして、これらがアドレスのための同一の内部電圧状態を有するようにすることである。等化ステップ（またはリセットステップ）は従来は充電動作すなわち“プライミング”動作を含んでいる。これは理想的には充電の終了時にこれを消去するイレイス動作に続いて行われる。各セルの内部電圧はアドレス電極とサステイン電極とのあいだの点火閾値に近似する。
【００１１】
１つのセルでのアドレス電極対またはサステイン電極対に対して、これらの電極間に印加される外部電圧は、これらの電極のカバー材料を分離する気体空間内の内部電圧に関連している。内部電圧は通常表面電荷のために外部電圧とは異なっている。ここでの表面電荷は、電極のカバー材料を絶縁する表面およびこれらの誘電体材料とセルの気体とのあいだの界面に見られる。これらの表面電荷は、一方ではセルを区切っている材料の誘電率に関連するキャパシタンス効果によって、他方ではセルの気体中での先行の放電からの“メモリ電荷”の累積によって生じる。
【００１２】
セルの所定の方向での内部点火閾値は内部電圧値の当該の方向に沿った制限に相応し、これを超えるとセル内の気体がイオン化してしまう。この値はセル内の気体の特性、この気体の接触しているセル材料の特性、およびセルの外側でこのセルに交差している電極のジオメトリに依存して定まる。
【００１３】
前述の３つの電極アレイＹａ，Ｙａｓ，Ｘのケースでは、通常、各セルに関連して６つの内部閾値が認められる。すなわち
ＹａアノードとＹａｓカソードとのあいだの内部点火閾値Ｔ［Ｙａ＿Ｙａｓ］
ＹａカソードとＹａｓアノードとのあいだの内部点火閾値Ｔ［Ｙａｓ＿Ｙａ］
ＹａアノードとＸカソードとのあいだの内部点火閾値Ｔ［Ｙａ＿Ｘ］
ＹａカソードとＸアノードとのあいだの内部点火閾値Ｔ［Ｘ＿Ｙａ］
ＹａｓアノードとＸカソードとのあいだの内部点火閾値Ｔ［Ｙａｓ＿Ｘ］
ＹａｓカソードとＸアノードとのあいだの内部点火閾値Ｔ［Ｘ＿Ｙａｓ］
の６つである。
【００１４】
アノードおよびカソードという語はセルに交差する電極の近傍にあるセルの気体中の内部電位について用いられる。或る電極が他の電極に対してアノードモードにあるというとき、気体中の近傍の電位は他の電極の近傍の電位よりも大きい。なおこのとき他方の電極はカソードモードにあることになる。
【００１５】
コプレーナモードでの放電、つまり同じプレートに支持されており、相互に対称に配置された電極で生じる放電では、２つの内部閾値は同じ値を有する。すなわち
Ｔ［Ｙａ＿Ｙａｓ］＝Ｔ［Ｙａｓ＿Ｙａ］
が成り立つ。
【００１６】
また、マトリクスモードでの放電、つまり異なる２つのプレートに支持された電極で生じる放電では、２つの内部閾値はどちらの電極がアノード（またはカソード）としてふるまうかに依存して異なる。すなわち
Ｔ［Ｙａ＿Ｘ］＝Ｔ［Ｙａｓ＿Ｘ］
Ｔ［Ｘ＿Ｙａ］＝Ｔ［Ｘ＿Ｙａｓ］
が成り立つ。
【００１７】
実際には、列アドレス電極Ｘがカソードモードにあるとき、この電極をカバーする蛍光体の２次発光のほうが行電極ＹａまたはＹａｓをカバーする誘電体の表面のマグネシウムの２次発光よりも低く、放電はアノードモードにあるときよりも高い電圧で生じる。
【００１８】
通常は、プライミング動作中、アドレス機能およびサステイン機能の双方に用いられるアレイＹａｓの各電極は他の２つの電極アレイＹａ，Ｘに対してアノードモードにあり、イレイス動作中、アドレス機能およびサステイン機能の双方に用いられるアレイＹａｓの各電極は他の２つの電極アレイＹａ，Ｘに対してカソードモードにある。
【００１９】
この動作は通常、緩慢に増大する電位差を２つのコプレーナのサステイン電極のあいだと、アドレスすべきグループの全てのセルの２つのマトリクスのアドレス電極のあいだとへ印加することにより行われる。仏国特許第２４１７８４８号明細書（THOMSON1978）および米国特許第５７４５０８６号明細書（PLASMACO1998）には、一定の電圧信号がアドレス電極とサステイン電極とへ印加されているあいだ、勾配を有する電圧信号がアドレスおよびサステイン双方のために用いられる電極へ印加されることが説明されている。
【００２０】
米国特許第５７４５０８６号明細書には、パネルのセルのリセット動作が有利には各セルで“強放電”なしに行われることが示されている。このとき、印加される信号の傾きが１０Ｖ／μｓを超えなければ、一連の“弱放電”が電極間に生じる。この“弱放電”により、当該の電極によって駆動されるセル壁での表面電荷を用いて、印加される外部電圧の増大が補償される。“強放電”が生じないため、セルの気体中の内部電圧は前述の内部点火閾値以下にとどまる。
【００２１】
“弱放電”によるリセット、つまり“正抵抗等化動作”の周知の利点は、弱い発光を形成することによりセル内の内部電圧を正確に調整できることである。正確な調整は続くアドレス動作のパフォーマンスおよび効率にとって重要である。発光を制限することによりディスプレイ装置のコントラストパフォーマンスも向上する。
【００２２】
プライミング動作中、放電はセルの電極ＸとＹａｓとのあいだに方向Ｘ→Ｙａｓで生じる。この放電はセル内の蛍光体の性質にかかわらず発生する。ただし蛍光の２次発光係数は行をカバーしているマグネシウム酸化物のそれよりも小さい。しかも使用される蛍光体によってはこの２次発光係数が大きく変動するものがある。したがって緑の蛍光体の２次発光係数は赤および青の蛍光体の２次発光係数を下回ることが多い。
【００２３】
セルの電極ＸとＹａｓとのあいだに放電を形成するための条件は印加される外部電圧に依存してセルの蛍光体の性質により異なってくる。すなわち
１．２次発光係数の小さい蛍光体では閾値は大きくなる。したがってセルの電極Ｘ，Ｙａｓ間に放電を形成するには、他の現象から独立に、高電圧を印加しなければならない。
２．２次発光係数の大きい蛍光体では印加電圧は弱くてもよい。
【００２４】
プライミング動作中にセルの電極Ｘ，Ｙａｓに印加される電圧信号はそのセルの蛍光体の性質には無関係である。緑、赤、青のセルの電極Ｘ，Ｙａｓに対しては同じ電圧信号が印加される。この信号の電圧レベルは、たとえ２次発光係数の小さい蛍光体であっても、全てのセルでの充電の適切な移行が保証されるように選定される。このケースが図１に示されている。
【００２５】
図１にはセル内壁でのプライミングフェーズ中に電極Ｘ，Ｙａｓに印加される電圧信号が示されている。これらの信号は蛍光体のタイプ（緑または赤または青）に無関係に同一である。増加勾配の電圧がセルの電極Ｙａｓへ印加される。ここでセル内壁のプライミングに必要な閾値電圧は使用される蛍光体によって変化する。図１の例では、青のセルの閾値電圧ＳＢは赤のセルの閾値電圧ＳＲよりも少しだけ大きい。さらに緑のセルの閾値電圧ＳＧは青のセルおよび赤のセルの閾値電圧よりも格段に大きい。赤のセルの閾値と緑のセルの閾値との電圧差ＳＧ−ＳＲはＥ１で表されており、青のセルの閾値と緑のセルの閾値との電圧差ＳＧ−ＳＢはＥ２で表されている。電圧差Ｅ１は６０Ｖ、電圧差Ｅ２は５０Ｖである。またセルの電極Ｘにはゼロ電圧が印加される。セルでのプライミングは図１では放電の発生によって表されている。
【００２６】
同じ勾配の電圧が青、赤、緑のセルに印加されるので、青のセルおよび赤のセルでの放電のほうが緑のセルでの放電よりも早く生じる。この放電は増加勾配の電圧の印加が終了するまで続く。その結果、青のセルおよび赤のセルの過剰な放電が生じ、背景光レベル（ビデオ内容のない発光）がセルのプライミング動作に関連して不要に増大してしまう。過剰な背景光はコントラストに悪影響を与える。しかも電極Ｘ，Ｙａｓで電極Ｘをカソードとして過剰な放電が生じると、放電中にイオンが蛍光体に衝撃するため、これが蛍光体のデグラデーションの付加的な原因となってしまう。
【特許文献１】仏国特許第２４１７８４８号明細書
【特許文献２】米国特許第５７４５０８６号明細書
【発明の開示】
【発明が解決しようとする課題】
【００２７】
本発明の課題は、電極Ｘから電極Ｙａｓへの充電の適切な移行をセルの蛍光体のタイプに関係なく保証することのできる方法を提供することである。
【課題を解決するための手段】
【００２８】
この課題は、各セルに少なくとも２つの電極と少なくとも２つのタイプの蛍光体のうちいずれかの蛍光体とが設けられており、各セルごとにセルの発光色が決定されるセルのプライミング方法であって、閾値電圧よりも大きな電圧を各セルの電極間に印加して充電を行い、ここで充電のための閾値電圧をセル内で当該のセルの蛍光体のタイプに応じて形成するセルのプライミング方法において、セルの電極間に印加される充電のための電圧は少なくとも２つのタイプの蛍光体に対して異なることにより解決される。
【発明を実施するための最良の形態】
【００２９】
本発明によれば、セルの蛍光体に依存して電極Ｘへ電圧を印加することにより過剰な放電が低減ないしは完全に回避される。
【００３０】
少なくとも２つの蛍光体に対して異なる電圧が使用され、当該の蛍光体のうち少なくとも１つの蛍光体に対する過剰な充電が回避される。
【００３１】
セルの電極間の電圧を形成するために、第１の電圧信号が電極Ｙａｓに印加され、第２の電圧信号が電極Ｘに印加される。第１の電圧信号はセルの蛍光体のタイプに無関係に同一であり、第２の電圧信号は少なくとも２つのタイプの蛍光体に対して異なる。ここで第１の電圧信号は最大振幅が蛍光体の最大閾値電圧よりも大きい電圧レベルによって追従される電圧勾配を有している。
【００３２】
本発明によれば、いずれの実施形態においても、最大閾値電圧を有する蛍光体に対する第２の電圧信号はゼロ電圧である。
【００３３】
第１の実施形態では、最大閾値電圧を有する蛍光体以外の蛍光体に対する第２の電圧信号は第１の電圧の期間中アクティブとなる電圧パルスであり、その振幅は最大閾値電圧と当該の蛍光体に関する閾値電圧との差に等しい。
【００３４】
第２の実施形態では、最大閾値電圧を有する蛍光体以外の蛍光体に対する第２の電圧信号は第１の電圧の期間中アクティブとなる電圧パルスであり、その振幅は最大閾値電圧と当該の蛍光体に関する閾値電圧との最小差に等しい。
【００３５】
第２の実施形態のヴァリアントでは、最大閾値電圧を有する蛍光体以外の蛍光体に対する第２の電圧信号は第１の電圧の期間中アクティブとなる電圧パルスであり、その振幅はセルのアドレス電圧Ｖｄａｔａに等しい。これによりセル内での充分な充電が保証されるように電圧勾配の最大振幅が定められる。
【００３６】
第３の実施形態では、最大閾値電圧を有する蛍光体以外の蛍光体に対する第２の電圧信号は第１の電圧信号の最終部分の期間中アクティブとなる電圧パルスであり、その振幅は少なくとも閾値電圧と電圧勾配の最大振幅との差に等しく、当該のパルスはセル内で充分な量の充電が行われたときに開始される。
【００３７】
必要に応じて、最大閾値電圧を有する蛍光体以外の蛍光体を有するセルへ印加される各パルスは同一であってよく、これによりパネルの列ドライバ回路で形成すべき電圧レベルの数が低減される。このとき有利には、当該のパルスの振幅は、最大閾値電圧を有する蛍光体以外の蛍光体の閾値電圧と最大振幅との最大電圧差に等しい。
【実施例】
【００３８】
本発明を以下に図示の実施例に則して詳細に説明する。ただし実施例は本発明の特徴を限定するものではない。
【００３９】
本発明では、セルの蛍光体のタイプに依存して異なる電圧を電極Ｘと電極Ｙａｓとのあいだに印加することを提案する。印加される電圧はセルでの不要な放電を低減できるように定められる。
【００４０】
本発明の方法を以下に赤、緑、青の３原色のセルを含むディスプレイパネルの実施例に則して説明する。ただし本発明は少なくとも２つのタイプの蛍光体を有するパネルに一般に適用可能である。
【００４１】
図１に関して前述したように、緑のセルの閾値電圧ＳＧは青のセルの閾値電圧ＳＢより大きく、青のセルの閾値電圧ＳＢは赤のセルの閾値電圧ＳＲよりも大きい。
【００４２】
本発明の第１の実施例が図２に示されている。赤のセルおよび青のセルでの不要な放電の回数を低減するために、セルでの放電のトリガを遅延させる。これは正の電圧パルスをセルのプライミングフェーズ中に電極Ｘに印加することによって行われる。このパルスの振幅は少なくとも赤のセルに対しては閾値電圧ＳＧとＳＲとの差Ｅ１に等しく、青のセルに対しては閾値電圧ＳＧとＳＢとの差Ｅ２に等しい。図２には図１と同様に、プライミングフェーズにおいてパネルのセルの電極Ｙａｓ，Ｘに印加される電圧信号とこれに関連する放電とが示されている。
【００４３】
追従すべき電圧勾配が赤、緑、青のセルの電極Ｙａｓへ印加される。この勾配は図１の勾配に等しい。有利には比較的緩やかな傾きにより、放電が起こったとき、米国特許第５７４５０８６号明細書で説明されている“弱放電”モードが生じることが保証される。振幅Ａ＝Ｅ１の電圧パルスは赤のセルの電極Ｘへ前記電圧勾配のあいだに印加される。この電圧パルスは有利には電圧レベルの印加終了直後にキャンセルされ、電極Ｘ，Ｙａｓ間での過度に大きな電圧降下が回避される。
【００４４】
同様に、振幅Ｂ＝Ｅ２の電圧パルスが青のセルの電極Ｘに印加される。この電圧パルスは有利には、前述したのと同じ理由から、前記電圧勾配中にアクティブとなり、前記電圧勾配の印加終了直後にキャンセルされる。緑のセルの電極Ｘにはパルスは印加されない。
【００４５】
その結果、３つのタイプのセルでの放電は（閾値ＳＧを超えた電圧勾配の印加終了まぎわに）同時かつ等量に行われる。電圧の勾配の最大値はＹａｓ＿ｍａｘで示されており、これは各セルで充分な充電が行われる適切な位置となっている。Ｔはセルの電極Ｘ，Ｙａｓ間の充電の適切な移行が達成されるまでにかかる時間を表している。
【００４６】
実際に電極Ｘへ印加される電圧パルスはパネルの列ドライバ回路によって形成される。列ドライバ回路は通常ゼロ電圧（０Ｖ）とセルアドレス電圧に相応する電圧Ｖｄａｔａとのあいだで給電される。過度に多種の電圧レベルが列ドライバ回路に生じるのを回避するために、図３の第２の実施例を提案する。
【００４７】
第２の実施例では、同じ振幅のパルスが青のセルの電極Ｘと赤のセルの電極Ｘとへ印加される。したがってこの実施例では列ドライバ回路で１つの付加電圧を形成するだけでよい。青のセルの電極Ｘと赤のセルの電極Ｘとへ印加される電圧パルスの振幅Ａ，Ｂは、有利には、２つの差Ｅ１，Ｅ２のうち小さい方のＥ２に等しい。したがって放電は、青のセルおよび緑のセルで時間Ｔ、赤のセルで時間Ｔ＋Δにわたって行われる。振幅Ａ，Ｂは有利にはＥ２とは異なる値へ調整され、Ｙａｓ＿ｍａｘは全てのセルで時間Ｔにわたる充分な量の放電が生じるように調整される。この場合、最良のタイプの蛍光体によってセルに必要な放電量、すなわち放電時間Ｔが正確に定められる。
【００４８】
後者の場合、振幅Ａ，Ｂは有利にはＶｄａｔａへ調整され、列ドライバ回路にＶｄａｔａ以外の電圧レベルが生じることが回避される。例えばＥ１＝６０Ｖ，Ｅ２＝５０Ｖの蛍光体と、Ｖｄａｔａ＝約６５Ｖの列ドライバ回路とがあるとする。電圧勾配の最大電圧Ｙａｓ＿ｍａｘは約４００Ｖである。Ａ＝Ｂ＝Ｖｄａｔａの仮定から、Ｙａｓ＿ｍａｘは各セルでの放電が充分となるように調整される。
【００４９】
第３の実施例によれば、第１の実施例および第２の実施例と同様に、電圧パルスは青のセルおよび赤のセルの電極Ｘへ、ただし異なる時点で印加される。この実施例を図４に則して説明する。
【００５０】
第４の実施例では、電圧パルスは赤のセルおよび青のセルでの放電を停止するために用いられる。Ｅ３はＹａｓ＿ｍａｘとＳＲとの電圧差を表しており、Ｅ４はＹａｓ＿ｍａｘとＳＢとの電圧差を表している。この実施例によれば、青のセルおよび赤のセルの電極Ｘへの電圧パルスは、電極Ｘ，Ｙａｓ間で充分な量の充電の移行が行われた場合に形成される。この移行を停止するために、パルスは赤のセルで少なくともＥ３に等しい振幅、青のセルで少なくともＥ４に等しい振幅を有さなければならない。
【００５１】
図４の実施例では、赤いセルに対する電圧パルスは電極Ｙａｓの電圧が閾値ＳＲに達したのち所定の時間Ｔが経過してからトリガされ、青いセルに対する電圧パルスは電極Ｙａｓの電圧が閾値ＳＢに達したのち所定の時間Ｔが経過してからトリガされる。パルスは電圧レベルの印加終了まで維持される。前述の実施例と同様に、パルスは有利には電圧レベルの印加終了後ただちにキャンセルされ、電圧レベルの印加終了時の電極Ｘ、Ｙａｓ間での過度に大きな電圧降下が回避される。
【００５２】
したがってこの実施例では、放電は赤、緑、青の各セルで同時には生じない。
【００５３】
この実施例では各色ごとの充電の移行をそれぞれ独立に調整することができる。時間Ｔよりも大きい所定の時間後に電圧パルスをトリガすることができる。
【００５４】
有利には、Ａ＝Ｂが仮定されるので、列ドライバ回路には１つの付加電圧レベルを形成するだけでよい。青のセルおよび赤のセルでの放電を停止するためには、列レベルは少なくともＥ３，Ｅ４のうち大きい方の差（ここではＥ３）に等しくなければならない。
【図面の簡単な説明】
【００５５】
【図１】従来技術においてセルの電極Ｘ，Ｙａｓに印加される電圧信号およびセルでの放電の様子を示す図である。
【図２】本発明の第１の実施例におけるセルの電極Ｘ，Ｙａｓに印加される電圧信号およびセルでの放電の様子を示す図である。
【図３】本発明の第２の実施例におけるセルの電極Ｘ，Ｙａｓに印加される電圧信号およびセルでの放電の様子を示す図である。
【図４】本発明の第３の実施例におけるセルの電極Ｘ，Ｙａｓに印加される電圧信号およびセルでの放電の様子を示す図である。
【図１】
2005316478.tif 000003
【図２】
2005316478.tif 000004
【図３】
2005316478.tif 000005
【図４】
2005316478.tif 000006